(57)【要約】  ビジュアルコンテンツを投影するためのプロジェクタと、ビジュアルコンテンツがプロジェクタから高不透明度状態にあるディスプレイ上に投影された場合にビジュアルコンテンツがディスプレイ上で見えるように透明状態と高不透明度状態との間で切替可能な不透明度調節可能ディスプレイとを備えるディスプレイシステムが提供される。センサは、ディスプレイとインタラクトしているユーザからのユーザ入力を検出するように構成される。制御モジュールは、ユーザ入力に応じて、以下の、ディスプレイを透明状態と高不透明度状態との間で切り替えること、ビジュアルコンテンツをディスプレイ上に投影すること、およびディスプレイ上に投影されたビジュアルコンテンツとインタラクトすることのうちの１または複数を実行するように構成される。
2018531428.tif 000002
【特許請求の範囲】
【請求項１】
ビジュアルコンテンツを投影するためのプロジェクタと、
ビジュアルコンテンツが前記プロジェクタから高不透明度状態にある不透明度調節可能ディスプレイ上に投影された場合に前記ビジュアルコンテンツが前記不透明度調節可能ディスプレイ上で見えるように透明状態と前記高不透明度状態との間で切替可能な不透明度調節可能ディスプレイと、
前記不透明度調節可能ディスプレイとインタラクトしているユーザからのユーザ入力を検出するセンサと、
前記ユーザ入力に応じて、以下の、前記不透明度調節可能ディスプレイを前記透明状態と前記高不透明度状態との間で切り替えること、ビジュアルコンテンツを前記不透明度調節可能ディスプレイ上に投影すること、および前記不透明度調節可能ディスプレイ上に投影された前記ビジュアルコンテンツとインタラクトすることのうちの１または複数を実行する制御モジュールと
を備えるディスプレイシステム。
【請求項２】
前記不透明度調節可能ディスプレイの複数の部分は、前記透明状態と前記高不透明度状態との間で独立して切替可能である、請求項１に記載のディスプレイシステム。
【請求項３】
前記複数の部分の以下の特性、つまり、位置、寸法、形状のうちの１または複数は調節可能である、請求項２に記載のディスプレイシステム。
【請求項４】
前記制御モジュールは、事前設定プログラムまたは前記ユーザ入力に従って前記特性を調節する、請求項３に記載のディスプレイシステム。
【請求項５】
前記制御モジュールは、事前設定プログラムまたは前記ユーザ入力に従って、前記不透明度調節可能ディスプレイの前記複数の部分を前記透明状態と前記高不透明度状態との間で切り替える、請求項２から４のいずれか一項に記載のディスプレイシステム。
【請求項６】
前記不透明度調節可能ディスプレイの前記複数の部分は、前記透明状態と前記高不透明度状態との間で連続して切替可能である、請求項２から４のいずれか一項に記載のディスプレイシステム。
【請求項７】
前記制御モジュールは、前記ビジュアルコンテンツの変化に合わせて、前記不透明度調節可能ディスプレイの前記複数の部分を前記透明状態と前記高不透明度状態との間で切り替える、請求項２から４のいずれか一項に記載のディスプレイシステム。
【請求項８】
前記制御モジュールは、前記ビジュアルコンテンツが前記高不透明度状態における前の部分から前記高不透明度状態における次の部分に動き、それにより前記ビジュアルコンテンツが現れて前記不透明度調節可能ディスプレイにわたって動くように、前記不透明度調節可能ディスプレイの前記複数の部分を前記透明状態と前記高不透明度状態との間で切り替える、請求項２から４のいずれか一項に記載のディスプレイシステム。
【請求項９】
一度前記前の部分が前記透明状態に切り替わると、前記次の部分は前記高不透明度状態に切り替わる、請求項８に記載のディスプレイシステム。
【請求項１０】
前記高不透明度状態の以下の特性、つまり、色、色合い、シェイド、トーン、不透明度のうちの１または複数は可変である、請求項１から９のいずれか一項に記載のディスプレイシステム。
【請求項１１】
前記不透明度調節可能ディスプレイは、透明パネル上の切替可能なガラスまたは切替可能な積層体である、請求項１から１０のいずれか一項に記載のディスプレイシステム。
【請求項１２】
前記センサはタッチセンサであり、前記ユーザ入力は前記不透明度調節可能ディスプレイ上の、または前記不透明度調節可能ディスプレイに隣接したタッチ入力である、請求項１から１１のいずれか一項に記載のディスプレイシステム。
【請求項１３】
前記タッチセンサは、エミッタおよび受信機を有し、前記エミッタは、前記受信機による受信のために前記不透明度調節可能ディスプレイにわたって不可視放射線を発し、前記タッチ入力は、入力オブジェクトが前記不透明度調節可能ディスプレイ上に、または前記不透明度調節可能ディスプレイに隣接して配置され、それにより前記不可視放射線と干渉した場合、検出される、請求項１２に記載のディスプレイシステム。
【請求項１４】
前記エミッタは、前記不透明度調節可能ディスプレイの第１周辺部に、または前記第１周辺部の近くに位置し、前記受信機は、前記第１周辺部に対向する、前記不透明度調節可能ディスプレイの第２周辺部に、または前記第２周辺部の近くに位置する、請求項１３に記載のディスプレイシステム。
【請求項１５】
前記タッチセンサは、第１線形アレイおよび第２線形アレイで配置された複数の前記エミッタおよび複数の前記受信機を有し、前記第１線形アレイは、エミッタまたはエミッタと受信機との組み合わせを含み、前記第２線形アレイは、受信機またはエミッタと受信機との組み合わせを含み、前記エミッタの各々は、前記受信機のうちの１または複数による受信のために、前記不透明度調節可能ディスプレイにわたって不可視放射線を発する、請求項１３に記載のディスプレイシステム。
【請求項１６】
前記不透明度調節可能ディスプレイは矩形であり、前記第１線形アレイは、前記不透明度調節可能ディスプレイの第１縁部に沿って、または隣接して位置し、前記第２線形アレイは、前記第１縁部と反対の、前記不透明度調節可能ディスプレイの第２縁部に沿って、または隣接して位置する、請求項１５に記載のディスプレイシステム。
【請求項１７】
前記タッチセンサは、エミッタまたはエミッタと受信機との組み合わせを含む第３線形アレイと、受信機またはエミッタと受信機との組み合わせを含む第４線形アレイとを有し、前記第３線形アレイは、前記不透明度調節可能ディスプレイの第３縁部に沿って、または隣接して位置し、前記第４線形アレイは、前記第３縁部と反対の、前記不透明度調節可能ディスプレイの第４縁部に沿って、または隣接して位置する、請求項１６に記載のディスプレイシステム。
【請求項１８】
前記不可視放射線は赤外線である、請求項１３から１７のいずれか一項に記載のディスプレイシステム。
【請求項１９】
前記センサはモーションセンサであり、前記ユーザ入力は前記ユーザの１または複数の動きにより定義されるモーション入力である、請求項１から１１のいずれか一項に記載のディスプレイシステム。
【請求項２０】
前記制御モジュールは、以下の、前記プロジェクタ、前記不透明度調節可能ディスプレイ、前記センサのうちの１または複数と無線通信する、請求項１から１９のいずれか一項に記載のディスプレイシステム。
【請求項２１】
前記制御モジュールは、以下の、デスクトップコンピュータ、ラップトップコンピュータ、タブレットコンピュータ、ハンドヘルドデバイス、スマートフォン、前記ディスプレイシステムの他のコンポーネントのうちの１つに組み込まれたマイクロプロセッサ、遠隔制御モジュール、のうちの１つまたはそれらの組み合わせである、請求項１から２０のいずれか一項に記載のディスプレイシステム。
【発明の詳細な説明】
【技術分野】
【０００１】
本発明は、ディスプレイシステムに関し、特に、透明パネルにコンテンツを表示するためのディスプレイシステムに関する。
【背景技術】
【０００２】
透明パネルにウィンドウなどのコンテンツを表示するためのディスプレイシステムが、ますます一般的になってきている。従来のシステムは、投影画像が透明パネル上で見えることを可能にする不透明度を透明パネルが有するように積層または処理された透明パネルを用いている。しかしながら、そのようなシステムでは常に、投影画像の可視性と透明パネルの後方のシーンの可視性との間で妥協がなされることになる。特に、不透明度が高いパネルほど、より明確な投影画像を提供するが、パネルの後方のシーンがより不明瞭になる。不透明度が低いパネルほど、パネルの後方により明確なシーンを提供するが、投影画像の可視性がより小さくなる。最適な不透明度も、変化し得る周辺光状況に応じて変化する。
【０００３】
他の従来のシステムは切替可能なガラスパネルを用いている。しかしながら、これらは柔軟性に欠ける。なぜなら、パネル上に投影されたビジュアルコンテンツは見えるがパネルの後方のシーンは隠れてしまうことになる高不透明度状態と、パネルの後方のシーンは見えるがパネル上に投影されたビジュアルコンテンツは可視性が十分にはならない透明状態との間で切り替えられる必要があるからである。切り替えは通常、手動で、または事前プログラミングされたスケジュールに従って、実行される。ビジュアルコンテンツの表示とパネルの後方のシーンの表示との間での必要とされる切り替えが動的であるか、またはパネルの観察者により決定される状況では、これは適切ではない。
【０００４】
本発明の目的は、従来技術の欠点のうちの少なくとも１つを解消または改善すること、または有用な代替手段を提供することである。
【発明の概要】
【０００５】
本発明は、一態様において、ビジュアルコンテンツを投影するプロジェクタと、ビジュアルコンテンツがプロジェクタから高不透明度状態にあるディスプレイ上に投影された場合にビジュアルコンテンツがディスプレイ上で見えるように透明状態と高不透明度状態との間で切替可能な不透明度調節可能ディスプレイと、ディスプレイとインタラクトしているユーザからのユーザ入力を検出するように構成されるセンサと、ユーザ入力に応じて、以下の、ディスプレイを透明状態と高不透明度状態との間で切り替ること、ビジュアルコンテンツをディスプレイ上に投影すること、およびディスプレイ上に投影されたビジュアルコンテンツとインタラクトすることのうちの１または複数を実行するように構成される制御モジュールとを備えるディスプレイシステムを提供する。
【０００６】
一実施形態において、ディスプレイの複数の部分は、透明状態と高不透明度状態との間で独立して切替可能である。
【０００７】
一実施形態において、部分の以下の特性、つまり、位置、寸法、形状のうちの１または複数は調節可能である。一実施形態において、制御モジュールは、事前設定プログラムまたはユーザ入力に従って、特性を調節する。
【０００８】
一実施形態において、制御モジュールは、事前設定プログラムまたはユーザ入力に従って、ディスプレイの部分を透明状態と高不透明度状態との間で切り替える。
【０００９】
一実施形態において、ディスプレイの複数の部分は、透明状態と高不透明度状態との間で連続して切替可能である。
【００１０】
一実施形態において、制御モジュールは、ビジュアルコンテンツの変化に合わせて、ディスプレイの部分を透明状態と高不透明度状態との間で切り替える。一実施形態において、制御モジュールは、ビジュアルコンテンツが高不透明度状態における前の部分から高不透明度状態における次の部分に動き、それによりビジュアルコンテンツが現れてディスプレイにわたって動くように、ディスプレイの部分を透明状態と高不透明度状態との間で切り替える。一実施形態において、一度前の部分が透明状態に切り替わると、次の部分は高不透明度状態に切り替わる。
【００１１】
一実施形態において、高不透明度状態の以下の特性、つまり、色、色合い、シェイド、トーン、不透明度のうちの１または複数は可変である。
【００１２】
一実施形態において、不透明度調節可能ディスプレイは、透明パネル上の切替可能なガラスまたは切替可能な積層体である。
【００１３】
一実施形態において、センサはタッチセンサであり、ユーザ入力はディスプレイ上の、またはディスプレイに隣接したタッチ入力である。一実施形態において、タッチセンサは、エミッタおよび受信機を有し、エミッタは、受信機による受信のためにディスプレイにわたって不可視放射線を発し、タッチ入力は、入力オブジェクトがディスプレイ上に、またはディスプレイに隣接して配置され、それにより不可視放射線と干渉した場合、検出される。一実施形態において、エミッタは、ディスプレイの第１周辺部に、または第１周辺部の近くに位置し、受信機は、第１周辺部に対向する、ディスプレイの第２周辺部に、または第２周辺部の近くに位置する。
【００１４】
一実施形態において、タッチセンサは、第１線形アレイで配置された複数の前記エミッタと、第２線形アレイで配置された複数の前記受信機とを有し、第１線形アレイは、エミッタまたはエミッタと受信機との組み合わせを含み、第２線形アレイは、受信機またはエミッタと受信機との組み合わせを含み、エミッタの各々は、受信機のうちの１または複数による受信のために、ディスプレイにわたって不可視放射線を発する。一実施形態において、ディスプレイは矩形であり、第１線形アレイは、ディスプレイの第１縁部に沿って、または第１縁部に隣接して位置し、第２線形アレイは、第１縁部と反対の、ディスプレイの第２縁部に沿って、または第２縁部に隣接して位置する。
【００１５】
一実施形態において、タッチセンサは、エミッタまたはエミッタと受信機との組み合わせを含む第３線形アレイと、受信機またはエミッタと受信機との組み合わせを含む第４線形アレイとを有し、第３線形アレイは、ディスプレイの第３縁部に沿って、または隣接して位置し、第４線形アレイは、第３縁部と反対の、ディスプレイの第４縁部に沿って、または隣接して位置する。一実施形態において、不可視放射線は赤外線である。
【００１６】
別の実施形態において、センサはモーションセンサであり、ユーザ入力はユーザの１または複数の動きにより定義されるモーション入力である。
【００１７】
一実施形態において、制御モジュールは、以下の、プロジェクタ、ディスプレイ、センサのうちの１または複数と無線通信する。
【００１８】
一実施形態において、制御モジュールは、以下の、デスクトップコンピュータ、ラップトップコンピュータ、タブレットコンピュータ、ハンドヘルドデバイス、スマートフォン、ディスプレイシステムの他のコンポーネントのうちの１つに組み込まれたマイクロプロセッサ、遠隔制御モジュール、のうちの１つまたはそれらの組み合わせである。
【００１９】
別段の明示的な記載がない限り、または文脈上明らかにそうでないとされる限り、請求項を含む本明細書全体で、「備え（ｃｏｍｐｒｉｓｅ）」、「備え（ｃｏｍｐｒｉｓｉｎｇ）」という語および他の同様の用語は、排他的または網羅的な意味ではなく、包括的な意味、すなわち、「を含むが限定されない」という意味で解釈されるべきである。
【００２０】
ここで、本発明のベストモードに従った好ましい実施形態が、添付の図面を参照して、例としてのみ説明される。別段の定めがない限り、図面において、同じ参照番号は、図の全体で同様の部品を指す。
【図面の簡単な説明】
【００２１】
【図１】本発明の実施形態に従ったディスプレイシステムの概略図である。
【００２２】
【図２】図１のディスプレイシステムの不透明度調節可能ディスプレイおよびセンサの実施形態の概略図である。
【００２３】
【図３】図１のディスプレイシステムの不透明度調節可能ディスプレイおよびセンサの別の実施形態の概略図である。
【発明を実施するための形態】
【００２４】
図を参照すると、ビジュアルコンテンツを投影するためのプロジェクタ２と、不透明度調節可能ディスプレイ３とを備えるディスプレイシステム１が提供されている。不透明度調節可能ディスプレイ３は、ビジュアルコンテンツがプロジェクタ２から高不透明度状態にあるディスプレイ３上に投影された場合にビジュアルコンテンツがディスプレイ上で見えるように、透明状態と高不透明度状態との間で切替可能である。センサ４が、ディスプレイ３とインタラクトしているユーザからのユーザ入力を検出するように構成される。制御モジュール５が、ユーザ入力に応じて、以下の、ディスプレイ３を透明状態と高不透明度状態との間で切り替えること、ビジュアルコンテンツをディスプレイ上に投影すること、およびディスプレイ上に投影されたビジュアルコンテンツとインタラクトすることのうちの１または複数を実行するように構成される。
【００２５】
高不透明度状態において、ディスプレイ３の不透明度は、所与の周辺光状況において、プロジェクタ２によりディスプレイ３上に投影されたビジュアルコンテンツがディスプレイを見ている観察者に対してディスプレイ上で見える程度に十分な不透明度をディスプレイが有するようなものである。
【００２６】
プロジェクタ２は、ビジュアルコンテンツを表面上に投影し得る任意のデバイスである。従って、プロジェクタは、例えば、専用投影デバイス、ピコプロジェクタ、またはプロジェクタ機能付きのスチルカメラもしくはビデオカメラの形態であり得る。
【００２７】
不透明度調節可能ディスプレイ３は、透明パネル上の切替可能なガラスまたは切替可能な積層体である。透明パネルは、意図される用途に適した任意の透明材料製であり得、ガラス、パースペックス、他の透明ポリマ材料、透明セラミックおよび透明結晶材料を含む。
【００２８】
一実施形態において、ディスプレイ３の実質的に全体またはディスプレイの一部分は、透明状態と高不透明度状態との間で切替可能である。別の実施形態において、図３において最も良く示されるように、ディスプレイ３の複数の部分３ａ、３ｂ等が、透明状態と高不透明度状態との間で独立して切替可能である。これらの部分は、矩形またはさらには不規則な形状など、任意の形状であり得る。例えば、不透明度調節可能ディスプレイ３は、透明基板上に積層された、別個の小さな正方形を単位とする切替可能な積層体で形成され得る。部分３ａ、３ｂ等は、これらの単位のうちの１または複数から形成されることで、様々な形状を定め得る。
【００２９】
これらの部分の以下の特性、つまり、位置、寸法、形状のうちの１または複数は調節可能である。制御モジュール５は、事前設定プログラムまたはユーザ入力に従って、特性を調節する。また、制御モジュール５は、ビジュアルコンテンツの変化に合わせて、特性を調節し得る。例えば、ビジュアルコンテンツのサイズが変わった場合、その上にビジュアルコンテンツが投影される部分の寸法、すなわちサイズは、ビジュアルコンテンツのサイズの変化に対応して変わる。別の例として、ユーザは、当該部分が高不透明度状態に切り替えられた場合にビジュアルコンテンツのより多くが表示され得るように、ユーザ入力を行って部分を拡大させる。
【００３０】
制御モジュール５は、事前設定プログラムまたはユーザ入力に従って、ディスプレイ３の部分を透明状態と高不透明度状態との間で切り替える。例えば、ユーザは、ユーザ入力を行ってディスプレイ３の１または複数の部分を透明状態から高不透明度状態に切り替えることで、ビジュアルコンテンツを表示させる。
【００３１】
一実施形態において、制御モジュール５は、ビジュアルコンテンツの変化に合わせて、ディスプレイ３の部分を透明状態と高不透明度状態との間で切り替える。 例えば、制御モジュール５は、ビジュアルコンテンツが高不透明度状態における前の部分から高不透明度状態における次の部分に動き、それによりビジュアルコンテンツが現れてディスプレイ３にわたって動くように、ディスプレイ３の部分を透明状態と高不透明度状態との間で切り替える。１つの特定の例において、一度前の部分が透明状態に切り替わると、次の部分は、高不透明度状態に切り替わる。この態様では、ビジュアルコンテンツを表示している部分のみが高不透明度状態にあり、一方、残りの部分は透明状態にある。いくつかの実施形態において、ビジュアルコンテンツのより大きい領域が表示され得るように、高不透明度状態にある多数の部分が存在し得る。制御モジュール５は、ビジュアルコンテンツが高不透明度状態における１または複数の部分から高不透明度状態における１または複数の次の部分に動き、それによりビジュアルコンテンツが現れてディスプレイ３にわたって動くように、部分を透明状態と高不透明度状態との間で切り替える。前述のように、一度１または複数の前の部分が透明状態に切り替わると、１または複数の次の部分は、高不透明度状態に切り替わる。
【００３２】
これは特に、動くオブジェクトを含むビジュアルコンテンツに有用である。例えば、ボールがディスプレイ３にわたって跳ね返っているよう示され得る。ボールはまず、高不透明度状態における第１部分上に投影され、一方、残りの部分は透明状態にある。ボールは次に、第１部分が透明状態に切り替わった場合に高不透明度状態に切り替わる隣接部分上に投影される。ボールは次に、前の部分が連続して透明状態に切り替わる一方で連続して高不透明度状態に切り替わる後続の隣接部分上に投影される。ボールはそれにより、ディスプレイ３にわたって動くように現れる。
【００３３】
別の用途は、ビジュアルコンテンツが消え、ディスプレイ３上の別の位置に再び現れつつあるかのように見えるようにする場合である。ビジュアルコンテンツは、同じであり得るか、または位置間で変わり得る。
【００３４】
別の実施形態において、ディスプレイ３の複数の部分が、透明状態と高不透明度状態との間で連続して切替可能である。この実施形態の１つの用途が「ブラインド」効果である。例えば、複数の部分は、隣接する縦のストリップの形態である。初期条件において、ストリップの全ては透明状態にある。次に、最も左のストリップが高不透明度状態に切り替わる。次に、右に隣接するストリップが高不透明度状態に切り替わる。ストリップの全てが高不透明度状態に切り替わるまで、この処理が反復する。これには、ディスプレイ３にわたって左から右へ閉じられるように引かれつつある、高不透明度の「ブラインド」の効果がある。これは、ブラインドを引いて、最初は透明であるディスプレイ３の後方のシーンを徐々に隠すために用いられ得る。代替的に、これは、高不透明度状態に切り替えられたストリップ部分上に投影されているビジュアルコンテンツを徐々に表示させるために用いられ得る。
【００３５】
ストリップの全てを最初は高不透明度状態にすることにより、逆効果ももたらされ得る。最も左のストリップは次に、透明状態に切り替わる。右に隣接するストリップは次に、透明状態に切り替わる。ストリップの全てが透明状態に切り替わるまで、この処理は反復する。これには、ディスプレイ３にわたって左から右へ開かれるように引かれる、高不透明度の「ブラインド」効果がある。これは、ブラインドを引いて、最初は高不透明度のディスプレイ３の後方のシーンを徐々に表示させるために用いられ得る。代替的に、これは、高不透明度状態にあるストリップ部分上に投影されているビジュアルコンテンツを徐々に隠すために用いられ得る。
【００３６】
「ブラインド」の他の配置が可能であることが理解されよう。例えば、複数の部分は、隣接する横のストリップの形態であり得る。これにより、ブラインドは、ディスプレイ３上で上下方向に引かれ得る。複数の部分は、隣接する斜めのストリップの形態であり得る。これにより、ブラインドは、斜め方向に引かれ得る。複数の部分は、隣接する同心環状のストリップの形態であり得る。これにより、ブラインドは、ディスプレイ３の中央から外縁に、またその逆に引かれ得る。また、「ブラインド」は、１つの方向に引かれる代わりに、複数の方向に引かれ得る。例えば、縦または横のブラインドでは、ブラインドは、２つの対向する側から中央へ、または逆に、中央から２つの対向する側へ引かれ得る。
【００３７】
高不透明度状態の以下の特性、つまり、色、色合い、シェイド、トーン、不透明度のうちの１または複数は可変である。制御モジュール５は、事前設定プログラムまたはユーザ入力に従って、特性を調節し得る。また、制御モジュール５は、ビジュアルコンテンツの変化に合わせて、特性を調節し得る。例えば、不透明度がどのように変更されるかは、周辺光状況に依存し得る。屋外の日光または他の明るい周囲の状況において、高不透明度状態における不透明度は、屋内またはより暗い条件よりもはるかに高くなり得る。高不透明度状態にあるディスプレイ３上に投影されたビジュアルコンテンツが見えるようになるには、より明るい周囲の状況においてより高い不透明度が必要になる。なぜなら、ディスプレイは、そのような状況において、ディスプレイの他方の側から入射する、より多くの光を阻止することが必要になるからである。不透明度は、ビジュアルコンテンツが少なくとも部分的に見え、かつ、ディスプレイ３の後方のシーンが部分的に見える、１または複数の中間的な不透明度状態をもたらすためにも変更され得る。さらに、不透明度は、ディスプレイ３の後方のシーンを徐々に表示させるために、もしくは徐々に隠すために、または逆に、ディスプレイ３上に投影されたビジュアルコンテンツを徐々に隠すために、もしくは徐々に表示するために、徐々に変更され得る。
【００３８】
一実施形態において、センサ４はタッチセンサであり、ユーザ入力はディスプレイ３上の、またはディスプレイ３に隣接するタッチ入力である。タッチセンサは、エミッタ６および受信機７を備える。エミッタ６は、受信機７による受信のために、ディスプレイ３にわたって不可視放射線を発し、タッチ入力は、入力オブジェクトがディスプレイ上に、またはディスプレイに隣接して配置され、それにより不可視放射線と干渉した場合、検出される。入力オブジェクトは、例えば、ユーザの指または手であり得る。検出されているタッチ入力は、単一タッチ入力または複数タッチ入力であり得る。タッチセンサは、ジェスチャータイプのタッチ入力を検出し得る。例えば、２本の指をディスプレイ３上に、またはディスプレイ３に隣接して配置し、次にそれらを一緒に動かすこと（つまり、つまむこと）は、ビジュアルコンテンツまたはビジュアルコンテンツの一部を縮小させることに対応し得、一方、指を離して動かすことは、ビジュアルコンテンツまたはビジュアルコンテンツの一部を拡大させることに対応し得る。
【００３９】
エミッタ６は、ディスプレイ３の第１周辺部８に、または第１周辺部８の近くに位置し、受信機７は、第１周辺部８に対向する、ディスプレイの第２周辺部９に、または第２周辺部９の近くに位置する。
【００４０】
一実施形態において、タッチセンサは、第１線形アレイ１０および第２線形アレイ１１で配置された複数のエミッタ６および複数の受信機７を備える。第１線形アレイ１０は、エミッタ６またはエミッタ６と受信機７との組み合わせを含み、第２線形アレイ１１は、受信機７またはエミッタ６と受信機７との組み合わせを含む。各エミッタ６は、受信機７のうちの１または複数による受信のために、ディスプレイ３にわたって不可視放射線を発する。
【００４１】
典型的に、しかし非排他的に、ディスプレイ３は矩形であり、第１線形アレイ１０はディスプレイの第１縁部１２に沿って、または隣接して位置し、第２線形アレイ１１は第１縁部と反対の、ディスプレイの第２縁部１３に沿って、または隣接して位置する。
【００４２】
いくつかの実施形態において、タッチセンサは、エミッタ６またはエミッタ６と受信機７との組み合わせを含む第３線形アレイ１４と、受信機７またはエミッタ６と受信機７との組み合わせを含む第４線形アレイ１５とを備える。第３線形アレイ１４はディスプレイ３の第３縁部１６に沿って、または隣接して位置し、第４線形アレイ１５は第３縁部と反対の、ディスプレイの第４縁部１７に沿って、または隣接して位置する。
【００４３】
不可視放射線は、赤外線または任意の他の適切なタイプの不可視放射線であり得る。
【００４４】
一実施形態において、センサ４は、ディスプレイの残りの領域がタッチ入力の検出に関して非アクティブである状態で、ディスプレイ３の１または複数のアクティブ領域４ａにおけるタッチ入力のみを検出する。これは図２に最も良く示されている。これは、１または複数のアクティブ領域４ａを覆うエミッタ６および受信機７のみが動作しているようにセンサ４を制御することにより、なされ得る。残りのエミッタ６および受信機７は動作不能条件に置かれ得るか、または残りのエミッタ６および受信機７により検出されたタッチ入力は無視され得る。代替的に、ディスプレイシステム１は、１または複数のアクティブ領域４ａのみを覆うセンサ４を備え得る。例えば、図２は、ディスプレイ３の左側角部における１つのアクティブ領域４ａを示している。第１線形アレイ１０および第２線形アレイ１１ならびに第３線形アレイ１４および第４線形アレイ１５は、それらが存在する場合、アクティブ領域４ａが覆われることを可能にする長さのみのものである。ユーザからのユーザ入力を１または複数の特定のアクティブ領域４ａに制限することが望ましい用途において、これは有用である。ユーザが当然インタラクトできないビジュアルコンテンツの有無にかかわらず、残りの領域は、透明状態に留り得るか、または高不透明度状態に留まり得る。
【００４５】
別の実施形態において、センサ４はモーションセンサであり、ユーザ入力はユーザの１または複数の動きにより定義されるモーション入力である。モーションセンサは、ユーザの動きを認識するための関連ソフトウェア付きカメラであり得る。カメラは、サーマルカメラ、赤外カメラ、またはさらには、通常の可視スペクトルで動作するカメラであり得る。
【００４６】
制御モジュール５は、以下の、プロジェクタ、ディスプレイ、センサのうちの１または複数と無線通信し得る。制御モジュールは、以下の、リレースイッチ、デスクトップコンピュータ、ラップトップコンピュータ、タブレットコンピュータ、ハンドヘルドデバイス、スマートフォン、ディスプレイシステムの他のコンポーネントのうちの１つに組み込まれたマイクロプロセッサ、遠隔制御モジュール、のうちの１つまたはそれらの組み合わせであり得る。
【００４７】
図１に示されるディスプレイシステムにおいて、制御モジュール５は、デスクトップパーソナルコンピュータ、ラップトップコンピュータまたはタブレットコンピュータなどのコンピューティングデバイス２３を含む。制御モジュール５は、Ｗｉ−Ｆｉ、Ｂｌｕｅｔｏｏｔｈ（登録商標）、赤外線、３Ｇ、４Ｇ、ジグビーまたは他のセルラー移動通信プロトコルなどのプロトコルを用いて、プロジェクタ２と無線通信する。プロジェクタは、電源ケーブル１８を通じて、商用電源により電力供給される。制御モジュール５は、電源２０を通じてディスプレイ３と通信するリレースイッチ１９も含む。リレースイッチ１９はＵＳＢリレースイッチであり得る。
【００４８】
制御モジュール５は、様々な配置でパッケージ化され得る。例えば、リレースイッチ１９は、単一のパッケージとして、電源２０と一緒に設けられ得る。コンピューティングデバイスが別のパーティにより供給される実施形態、または制御モジュール５がコンピューティングデバイス２３を含まないが、リレースイッチ１９のみを単独で含むか、またはリレースイッチ１９を他のコンポーネントと共に含む実施形態において、これは有利である。制御モジュール５がコンピューティングデバイス２３を含まない後者の実施形態において、コンピューティングデバイス２３は依然として、制御モジュールの構成を変更する必要がある場合に初期セットアップ中などに制御モジュール５を構成するために、または診断活動のために、接続および使用され得る。他の関連コンポーネントの有無にかかわらず、リレースイッチ１９は当然、別個のパッケージとして単独で設けられ得る。コンピューティングデバイス２３が制御モジュール５の一部を形成する実施形態において、コンピューティングデバイス２３およびリレースイッチ１９は、単一のパッケージとして設けられ得る。代替的に、制御モジュール５は、コンピューティングデバイス２３と、リレースイッチ１９と、電源２０とを含むパッケージとして設けられ得る。
【００４９】
他の実施形態において、制御モジュール５は、Ｗｉ−Ｆｉ、Ｂｌｕｅｔｏｏｔｈ（登録商標）、赤外線、３Ｇ、４Ｇ、ジグビーまたは他のセルラー移動通信プロトコルなどのプロトコルを用いて、ディスプレイ３と無線通信し得る。電源２０は、電源ケーブル２１を通じて、商用電源に接続される。その結果として、電源２０は、電源ケーブル２２を通じてディスプレイ３に電力を供給する。センサ４も、電源ケーブル２２を通じて電源２０により電力供給される。他の実施形態において、センサは、例えばコンピューティングデバイス２３上のＵＳＢポートを介して、他の手段により電力供給され得る。センサ４は、Ｗｉ−Ｆｉ、Ｂｌｕｅｔｏｏｔｈ（登録商標）、赤外線、３Ｇ、４Ｇ、ジグビーまたは他のセルラー移動通信プロトコルなどのプロトコルを用いて、制御モジュールと無線通信する。センサ４は、ディスプレイ３の周囲のフレームの形態のタッチセンサである。電源２０がプロジェクタ２に電力を提供するようにも構成され得るのは、ディスプレイシステム１を一緒にパッケージ化する際にこれが有利である場合である。
【００５０】
前述の実施形態は本発明の原理を説明するために採用された例示的な実施形態に過ぎず、本発明はそれらのみに限定されないことが理解されよう。様々な変更例および変形例が、本発明の趣旨および本質から逸脱することなく当業者により行われ得、これらの変更例および変形例も、本発明の範囲内に包含される。従って、本発明は特定の例を参照して説明されてきたが、当業者には、本発明は多くの他の形態で具現化され得ることが理解されよう。説明された様々な例の特徴は他の組み合わせに組み合わされ得ることも、当業者には理解されよう。
【図１】
2018531428.tif 000003
【図２】
2018531428.tif 000004
【図３】
2018531428.tif 000005
【国際調査報告】
2018531428.tif 000006
2018531428.tif 000007